【手続補正書】
【提出日】平成16年4月2日(2004.4.2)
【手続補正１】
【補正対象書類名】明細書
【補正対象項目名】特許請求の範囲
【補正方法】変更
【補正の内容】
【特許請求の範囲】
【請求項１】
液晶表示パネルを用いて、画像を表示する液晶表示装置であって、
前記液晶表示パネルの複数領域の各々における温度を検出するための温度検出手段と、
前記液晶表示パネルの複数領域における検出温度の平均値を求めることによって、制御信号を生成する制御手段と、
前記制御手段により生成された制御信号と、入力画像信号の１垂直期間前後における階調遷移の組み合わせとに応じて、入力画像信号の強調変換を行うことにより、前記液晶表示パネルの光学応答特性を補償する強調変換信号を求める書込階調決定手段とを備えたことを特徴とする液晶表示装置。
【請求項２】
液晶表示パネルを用いて、画像を表示する液晶表示装置であって、
前記液晶表示パネルの複数領域の各々における温度を検出するための温度検出手段と、
前記液晶表示パネルの複数領域における検出温度の最大値を求めることによって、制御信号を生成する制御手段と、
前記制御手段により生成された制御信号と、入力画像信号の１垂直期間前後における階調遷移の組み合わせとに応じて、入力画像信号の強調変換を行うことにより、前記液晶表示パネルの光学応答特性を補償する強調変換信号を求める書込階調決定手段とを備えたことを特徴とする液晶表示装置。
【請求項３】
液晶表示パネルを用いて、画像を表示する液晶表示装置であって、
前記液晶表示パネルの複数領域の各々における温度を検出するための温度検出手段と、
前記液晶表示パネルの複数領域における検出温度の最小値を求めることによって、制御信号を生成する制御手段と、
前記制御手段により生成された制御信号と、入力画像信号の１垂直期間前後における階調遷移の組み合わせとに応じて、入力画像信号の強調変換を行うことにより、前記液晶表示パネルの光学応答特性を補償する強調変換信号を求める書込階調決定手段とを備えたことを特徴とする液晶表示装置。
【請求項４】
液晶表示パネルを用いて、画像を表示する液晶表示装置であって、
前記液晶表示パネルの複数領域の各々における温度を検出するための温度検出手段と、
前記液晶表示パネルの複数領域における検出温度のヒストグラムを求めることによって、制御信号を生成する制御手段と、
前記制御手段により生成された制御信号と、入力画像信号の１垂直期間前後における階調遷移の組み合わせとに応じて、入力画像信号の強調変換を行うことにより、前記液晶表示パネルの光学応答特性を補償する強調変換信号を求める書込階調決定手段とを備えたことを特徴とする液晶表示装置。
【請求項５】
液晶表示パネルを用いて、画像を表示する液晶表示装置であって、
前記液晶表示パネルの複数領域の各々における温度を検出するための温度検出手段と、
前記液晶表示パネルの複数領域における検出温度の加重平均値を求めることによって、制御信号を生成する制御手段と、
前記制御手段により生成された制御信号と、入力画像信号の１垂直期間前後における階調遷移の組み合わせとに応じて、入力画像信号の強調変換を行うことにより、前記液晶表示パネルの光学応答特性を補償する強調変換信号を求める書込階調決定手段とを備えたことを特徴とする液晶表示装置。
【請求項６】
前記請求項５に記載の液晶表示装置において、
前記入力画像信号の特徴量を検出する特徴量検出手段を設け、
前記制御手段は、前記特徴量検出手段により検出された特徴量に基づいて、前記液晶表示パネルの複数領域における検出温度の加重平均値を求めることを特徴とする液晶表示装置。
【請求項７】
前記請求項５に記載の液晶表示装置において、
当該装置の設置状態を検出する設置状態検出手段を設け、
前記制御手段は、前記設置状態検出手段により検出された設置状態に基づいて、前記液晶表示パネルの複数領域における検出温度の加重平均値を求めることを特徴とする液晶表示装置。
【請求項８】
前記請求項５に記載の液晶表示装置において、
ユーザによる指示入力を検出するユーザ指示検出手段を設け、
前記制御手段は、前記ユーザ指示検出手段により検出されたユーザ指示に基づいて、前記液晶表示パネルの複数領域における検出温度の加重平均値を求めることを特徴とする液晶表示装置。
【請求項９】
液晶表示パネルを用いて、画像を表示する液晶表示装置であって、
前記液晶表示パネルの複数領域の各々における温度を検出するための温度検出手段と、
入力画像信号の特徴量を検出する特徴量検出手段と、
前記特徴量検出手段により検出された特徴量に基づき、前記液晶表示パネルの複数領域における検出温度から、所定の領域における検出温度のみを抽出することによって、制御信号を生成する制御手段と、
前記制御手段により生成された制御信号と、入力画像信号の１垂直期間前後における階調遷移の組み合わせとに応じて、入力画像信号の強調変換を行うことにより、前記液晶表示パネルの光学応答特性を補償する強調変換信号を求める書込階調決定手段とを備えたことを特徴とする液晶表示装置。
【請求項１０】
液晶表示パネルを用いて、画像を表示する液晶表示装置であって、
前記液晶表示パネルの複数領域の各々における温度を検出するための温度検出手段と、
当該装置の設置状態を検出する設置状態検出手段と、
前記設置状態検出手段により検出された設置状態に基づき、前記液晶表示パネルの複数領域における検出温度から、所定の領域における検出温度のみを抽出することによって、制御信号を生成する制御手段と、
前記制御手段により生成された制御信号と、入力画像信号の１垂直期間前後における階調遷移の組み合わせとに応じて、入力画像信号の強調変換を行うことにより、前記液晶表示パネルの光学応答特性を補償する強調変換信号を求める書込階調決定手段とを備えたことを特徴とする液晶表示装置。
【請求項１１】
液晶表示パネルを用いて、画像を表示する液晶表示装置であって、
前記液晶表示パネルの複数領域の各々における温度を検出するための温度検出手段と、
ユーザによる指示入力を検出するユーザ指示検出手段と、
前記ユーザ指示検出手段により検出されたユーザ指示に基づき、前記液晶表示パネルの複数領域における検出温度から、所定の領域における検出温度のみを抽出することによって、制御信号を生成する制御手段と、
前記制御手段により生成された制御信号と、入力画像信号の１垂直期間前後における階調遷移の組み合わせとに応じて、入力画像信号の強調変換を行うことにより、前記液晶表示パネルの光学応答特性を補償する強調変換信号を求める書込階調決定手段とを備えたことを特徴とする液晶表示装置。
【請求項１２】
前記請求項１乃至１１のいずれかに記載の液晶表示装置において、
前記書込階調決定手段は、入力画像信号の１垂直期間前後における階調遷移の組み合わせに応じて、該入力画像信号を前記液晶表示パネルの光学応答特性を補償する強調変換信号に変換するための、予め定められた複数の温度範囲毎に異なる強調変換パラメータを記憶した複数の変換テーブルメモリと、
前記制御手段により生成された制御信号に基づいて、前記複数の変換テーブルメモリのうちの一つを選択的に切換える切換部とを有し、
前記切換部により切換えられた変換テーブルメモリを参照することにより読み出された強調変換パラメータを用いて、前記入力画像信号に対する強調変換信号を求め、書込階調信号として前記液晶表示パネルに供給することを特徴とする液晶表示装置。
【請求項１３】
前記請求項１乃至１１のいずれかに記載の液晶表示装置において、
前記書込階調決定手段は、入力画像信号の１垂直期間前後における階調遷移の組み合わせに応じて、該入力画像信号を前記液晶表示パネルの光学応答特性を補償する強調変換信号に変換するための、予め定められた複数の温度範囲毎に異なる強調変換パラメータを複数の参照テーブル領域毎に記憶したテーブルメモリと、
前記制御手段により生成された制御信号に基づいて、前記複数の参照テーブル領域のうちの一つを選択的に切換える切換部とを有し、
前記切換部により切換えられた前記テーブルメモリの参照テーブル領域を参照することにより読み出された強調変換パラメータを用いて、前記入力画像信号に対する強調変換信号を求め、書込階調信号として前記液晶表示パネルに供給することを特徴とする液晶表示装置。
【請求項１４】
前記請求項１乃至１１のいずれかに記載の液晶表示装置において、
前記書込階調決定手段は、入力画像信号の１垂直期間前後における階調遷移の組み合わせに応じて、該入力画像信号を前記液晶表示パネルの光学応答特性を補償する強調変換信号に変換するための強調変換パラメータを記憶した変換テーブルメモリと、
前記強調変換パラメータを用いて求められた強調変換信号から前記入力画像信号を減算する減算器と、
前記制御手段により生成された制御信号に基づいて可変制御される重み係数を、前記減算器の出力信号に積算する乗算器と、
前記乗算器の出力信号を、前記入力画像信号に加算する加算器とを有し、
前記加算器の出力信号を、書込階調信号として前記液晶表示パネルに供給することを特徴とする液晶表示装置。
【請求項１５】
前記請求項１２乃至１４のいずれかに記載の液晶表示装置において、
前記テーブルメモリは、表示データ階調における代表階調の遷移パターンについての強調変換パラメータが記憶されていることを特徴とする液晶表示装置。
【請求項１６】
前記請求項１乃至１５のいずれかに記載の液晶表示装置において、
前記温度検出手段は、任意の数の温度センサーによる検出温度に所定の演算を施すことによって、前記液晶表示パネルの複数領域の各々における温度を求めることを特徴とする液晶表示装置。
【請求項１７】
前記請求項１６に記載の液晶表示装置において、
前記温度検出手段は、当該装置の電源投入後の経過時間に応じて、前記温度センサーによる検出温度に施す演算を可変することを特徴とする液晶表示装置。
【請求項１８】
前記請求項１６に記載の液晶表示装置において、
前記温度検出手段は、当該装置内外の温度に応じて、前記温度センサーによる検出温度に施す演算を可変することを特徴とする液晶表示装置。
【手続補正２】
【補正対象書類名】明細書
【補正対象項目名】００２３
【補正方法】変更
【補正の内容】
【００２３】
【課題を解決するための手段】
本願の第１の発明は、液晶表示パネルを用いて、画像を表示する液晶表示装置であって、前記液晶表示パネルの複数領域の各々における温度を検出するための温度検出手段と、前記液晶表示パネルの複数領域における検出温度の平均値を求めることによって、制御信号を生成する制御手段と、前記制御手段により生成された制御信号と、入力画像信号の１垂直期間前後における階調遷移の組み合わせとに応じて、入力画像信号の強調変換を行うことにより、前記液晶表示パネルの光学応答特性を補償する強調変換信号を求める書込階調決定手段とを備えたことを特徴とする。


【手続補正３】
【補正対象書類名】明細書
【補正対象項目名】００２４
【補正方法】変更
【補正の内容】
【００２４】
本願の第２の発明は、液晶表示パネルを用いて、画像を表示する液晶表示装置であって、前記液晶表示パネルの複数領域の各々における温度を検出するための温度検出手段と、前記液晶表示パネルの複数領域における検出温度の最大値を求めることによって、制御信号を生成する制御手段と、前記制御手段により生成された制御信号と、入力画像信号の１垂直期間前後における階調遷移の組み合わせとに応じて、入力画像信号の強調変換を行うことにより、前記液晶表示パネルの光学応答特性を補償する強調変換信号を求める書込階調決定手段とを備えたことを特徴とする。


【手続補正４】
【補正対象書類名】明細書
【補正対象項目名】００２５
【補正方法】変更
【補正の内容】
【００２５】
本願の第３の発明は、液晶表示パネルを用いて、画像を表示する液晶表示装置であって、前記液晶表示パネルの複数領域の各々における温度を検出するための温度検出手段と、前記液晶表示パネルの複数領域における検出温度の最小値を求めることによって、制御信号を生成する制御手段と、前記制御手段により生成された制御信号と、入力画像信号の１垂直期間前後における階調遷移の組み合わせとに応じて、入力画像信号の強調変換を行うことにより、前記液晶表示パネルの光学応答特性を補償する強調変換信号を求める書込階調決定手段とを備えたことを特徴とする。


【手続補正５】
【補正対象書類名】明細書
【補正対象項目名】００２６
【補正方法】変更
【補正の内容】
【００２６】
本願の第４の発明は、液晶表示パネルを用いて、画像を表示する液晶表示装置であって、前記液晶表示パネルの複数領域の各々における温度を検出するための温度検出手段と、前記液晶表示パネルの複数領域における検出温度のヒストグラムを求めることによって、制御信号を生成する制御手段と、前記制御手段により生成された制御信号と、入力画像信号の１垂直期間前後における階調遷移の組み合わせとに応じて、入力画像信号の強調変換を行うことにより、前記液晶表示パネルの光学応答特性を補償する強調変換信号を求める書込階調決定手段とを備えたことを特徴とする。


【手続補正６】
【補正対象書類名】明細書
【補正対象項目名】００２７
【補正方法】変更
【補正の内容】
【００２７】
本願の第５の発明は、液晶表示パネルを用いて、画像を表示する液晶表示装置であって、前記液晶表示パネルの複数領域の各々における温度を検出するための温度検出手段と、前記液晶表示パネルの複数領域における検出温度の加重平均値を求めることによって、制御信号を生成する制御手段と、前記制御手段により生成された制御信号と、入力画像信号の１垂直期間前後における階調遷移の組み合わせとに応じて、入力画像信号の強調変換を行うことにより、前記液晶表示パネルの光学応答特性を補償する強調変換信号を求める書込階調決定手段とを備えたことを特徴とする。


【手続補正７】
【補正対象書類名】明細書
【補正対象項目名】００２８
【補正方法】変更
【補正の内容】
【００２８】
本願の第６の発明は、前記入力画像信号の特徴量を検出する特徴量検出手段を設け、前記制御手段が、前記特徴量検出手段により検出された特徴量に基づいて、前記液晶表示パネルの複数領域における検出温度の加重平均値を求めることを特徴とする。


【手続補正８】
【補正対象書類名】明細書
【補正対象項目名】００２９
【補正方法】変更
【補正の内容】
【００２９】
本願の第７の発明は、当該装置の設置状態を検出する設置状態検出手段を設け、前記制御手段が、前記設置状態検出手段により検出された設置状態に基づいて、前記液晶表示パネルの複数領域における検出温度の加重平均値を求めることを特徴とする。


【手続補正９】
【補正対象書類名】明細書
【補正対象項目名】００３０
【補正方法】変更
【補正の内容】
【００３０】
本願の第８の発明は、ユーザによる指示入力を検出するユーザ指示検出手段を設け、前記制御手段が、前記ユーザ指示検出手段により検出されたユーザ指示に基づいて、前記液晶表示パネルの複数領域における検出温度の加重平均値を求めることを特徴とする。


【手続補正１０】
【補正対象書類名】明細書
【補正対象項目名】００３１
【補正方法】変更
【補正の内容】
【００３１】
本願の第９の発明は、液晶表示パネルを用いて、画像を表示する液晶表示装置であって、前記液晶表示パネルの複数領域の各々における温度を検出するための温度検出手段と、入力画像信号の特徴量を検出する特徴量検出手段と、前記特徴量検出手段により検出された特徴量に基づき、前記液晶表示パネルの複数領域における検出温度から、所定の領域における検出温度のみを抽出することによって、制御信号を生成する制御手段と、前記制御手段により生成された制御信号と、入力画像信号の１垂直期間前後における階調遷移の組み合わせとに応じて、入力画像信号の強調変換を行うことにより、前記液晶表示パネルの光学応答特性を補償する強調変換信号を求める書込階調決定手段とを備えたことを特徴とする。


【手続補正１１】
【補正対象書類名】明細書
【補正対象項目名】００３２
【補正方法】変更
【補正の内容】
【００３２】
本願の第１０の発明は、液晶表示パネルを用いて、画像を表示する液晶表示装置であって、前記液晶表示パネルの複数領域の各々における温度を検出するための温度検出手段と、当該装置の設置状態を検出する設置状態検出手段と、前記設置状態検出手段により検出された設置状態に基づき、前記液晶表示パネルの複数領域における検出温度から、所定の領域における検出温度のみを抽出することによって、制御信号を生成する制御手段と、前記制御手段により生成された制御信号と、入力画像信号の１垂直期間前後における階調遷移の組み合わせとに応じて、入力画像信号の強調変換を行うことにより、前記液晶表示パネルの光学応答特性を補償する強調変換信号を求める書込階調決定手段とを備えたことを特徴とする。


【手続補正１２】
【補正対象書類名】明細書
【補正対象項目名】００３３
【補正方法】変更
【補正の内容】
【００３３】
本願の第１１の発明は、液晶表示パネルを用いて、画像を表示する液晶表示装置であって、前記液晶表示パネルの複数領域の各々における温度を検出するための温度検出手段と、ユーザによる指示入力を検出するユーザ指示検出手段と、前記ユーザ指示検出手段により検出されたユーザ指示に基づき、前記液晶表示パネルの複数領域における検出温度から、所定の領域における検出温度のみを抽出することによって、制御信号を生成する制御手段と、前記制御手段により生成された制御信号と、入力画像信号の１垂直期間前後における階調遷移の組み合わせとに応じて、入力画像信号の強調変換を行うことにより、前記液晶表示パネルの光学応答特性を補償する強調変換信号を求める書込階調決定手段とを備えたことを特徴とする。


【手続補正１３】
【補正対象書類名】明細書
【補正対象項目名】００３４
【補正方法】変更
【補正の内容】
【００３４】
本願の第１２の発明は、前記書込階調決定手段が、入力画像信号の１垂直期間前後における階調遷移の組み合わせに応じて、該入力画像信号を前記液晶表示パネルの光学応答特性を補償する強調変換信号に変換するための、予め定められた複数の温度範囲毎に異なる強調変換パラメータを記憶した複数の変換テーブルメモリと、前記制御手段により生成された制御信号に基づいて、前記複数の変換テーブルメモリのうちの一つを選択的に切換える切換部とを有し、前記切換部により切換えられた変換テーブルメモリを参照することにより読み出された強調変換パラメータを用いて、前記入力画像信号に対する強調変換信号を求め、書込階調信号として前記液晶表示パネルに供給することを特徴とする。


【手続補正１４】
【補正対象書類名】明細書
【補正対象項目名】００３５
【補正方法】変更
【補正の内容】
【００３５】
本願の第１３の発明は、前記書込階調決定手段が、入力画像信号の１垂直期間前後における階調遷移の組み合わせに応じて、該入力画像信号を前記液晶表示パネルの光学応答特性を補償する強調変換信号に変換するための、予め定められた複数の温度範囲毎に異なる強調変換パラメータを複数の参照テーブル領域毎に記憶したテーブルメモリと、前記制御手段により生成された制御信号に基づいて、前記複数の参照テーブル領域のうちの一つを選択的に切換える切換部とを有し、前記切換部により切換えられた前記テーブルメモリの参照テーブル領域を参照することにより読み出された強調変換パラメータを用いて、前記入力画像信号に対する強調変換信号を求め、書込階調信号として前記液晶表示パネルに供給することを特徴とする。


【手続補正１５】
【補正対象書類名】明細書
【補正対象項目名】００３６
【補正方法】変更
【補正の内容】
【００３６】
本願の第１４の発明は、前記書込階調決定手段が、入力画像信号の１垂直期間前後における階調遷移の組み合わせに応じて、該入力画像信号を前記液晶表示パネルの光学応答特性を補償する強調変換信号に変換するための強調変換パラメータを記憶した変換テーブルメモリと、前記強調変換パラメータを用いて求められた強調変換信号から前記入力画像信号を減算する減算器と、前記制御手段により生成された制御信号に基づいて可変制御される重み係数を、前記減算器の出力信号に積算する乗算器と、前記乗算器の出力信号を、前記入力画像信号に加算する加算器とを有し、前記加算器の出力信号を、書込階調信号として前記液晶表示パネルに供給することを特徴とする。


【手続補正１６】
【補正対象書類名】明細書
【補正対象項目名】００３７
【補正方法】変更
【補正の内容】
【００３７】
本願の第１５の発明は、前記テーブルメモリが、表示データ階調における代表階調の遷移パターンについての強調変換パラメータが記憶されていることを特徴とする。


【手続補正１７】
【補正対象書類名】明細書
【補正対象項目名】００３８
【補正方法】変更
【補正の内容】
【００３８】
本願の第１６の発明は、前記温度検出手段が、任意の数の温度センサーによる検出温度に所定の演算を施すことによって、前記液晶表示パネルの複数領域の各々における温度を求めることを特徴とする。


【手続補正１８】
【補正対象書類名】明細書
【補正対象項目名】００３９
【補正方法】変更
【補正の内容】
【００３９】
本願の第１７の発明は、前記温度検出手段が、当該装置の電源投入後の経過時間に応じて、前記温度センサーによる検出温度に施す演算を可変することを特徴とする。


【手続補正１９】
【補正対象書類名】明細書
【補正対象項目名】００４０
【補正方法】変更
【補正の内容】
【００４０】
本願の第１８の発明は、前記温度検出手段が、当該装置内外の温度に応じて、前記温度センサーによる検出温度に施す演算を可変することを特徴とする。


【手続補正２０】
【補正対象書類名】明細書
【補正対象項目名】００４１
【補正方法】削除
【補正の内容】